(57)【要約】      （修正有）【課題】オーバーキャップが不用意に引っ掛かりにくく、オーバーキャップを引き上げたいときには容易に引き上げることができ、オーバーキャップが顕在化せずに容器と一体感のある外観的に優れた容器になるプッシュプルキャップを提供する。【解決手段】容器１０口元に装着するプッシュプルキャップ１８は、オーバーキャップ１６が天部１６ａに液体を注出する注出口１６ｂを有すると共に、オーバーキャップ１６閉状態において注出口１６ｂからオーバーキャップ１６の下端部１６ｃに向けてキャップ本体１４と一体的な形状をなすように、キャップ本体１４上面に凹部（上面凹部）を形成して、この上面凹部にオーバーキャップ１６の下端部１６ｃを配置する。【選択図】図１
0003152379.tif 000002
【実用新案登録請求の範囲】
【請求項１】
液体を収容する容器の頂部に装着され、キャップ本体およびオーバーキャップを有し、キャップ本体に対してオーバーキャップを上下させることによって注出口が開閉するプッシュプルキャップであって、
前記オーバーキャップが天部に液体を注出する注出口を有すると共に、オーバーキャップ閉状態において注出口からオーバーキャップの下端部に向けてキャップ本体と一体的な形状をなすように、キャップ本体上面に凹部を形成して、この上面凹部にオーバーキャップ下端部を配置すると共に、
キャップ本体の上端部外周には、オーバーキャップを引き上げるための指掛け用凹部を少なくとも一カ所設けたことを特徴とするプッシュプルキャップ。
【請求項２】
オーバーキャップの下端部の周縁部は下細斜めに面取りされると共に、この周縁部の面取りとキャップ本体周縁の壁部内面も上記下端部の周縁部に対応させて斜めに面取りされて、その壁部が上広がりになって対応していることを特徴とする請求項１に記載のプッシュプルキャップ。
【請求項３】
キャップ本体の指掛け用凹部において、指掛け用凹部のオーバーキャップ下端部よりもキャップ本体軸中心に向かう凹み深さが１．５〜２.５（ｍｍ）であることを特徴とする請求項１に記載のプッシュプルキャップ。
【考案の詳細な説明】
【技術分野】
【０００１】
本考案は、液体を収容する容器の頂部に装着され、キャップ本体とオーバーキャップを有し、キャップ本体に対してオーバーキャップを上下させることによって注出口が開閉するプッシュプルキャップに係り、一体感のある外観を有するプッシュプルキャップに関する。
【背景技術】
【０００２】
従来、洗剤などの液体を収容する容器の口元に装着したキャップには、キャップ本体とオーバーキャップを有して、オーバーキャップをキャップ本体に対して上・下させることによって注出口を開・閉して、液体注出を許容・規制できるタイプのプッシュプルキャップがある。図６はその種のプッシュプルキャップの説明図であって、（ａ）が縦断面図、（ｂ）がプッシュプルキャップ内を下方から見た説明図である。
【０００３】
図６に示すように、プッシュプルキャップは、キャップ本体ａの頂壁ｂ中央に設けた案内筒ｃにオーバーキャップｄを昇降自在に装備させて、該オーバーキャップｄの昇降に伴い案内筒ｃの流出経路ｅを開閉させる構造となっている。符号ｇは容器ｆ側をプッシュプルキャップ内の流出経路ｅに連通するため頂壁ｂに穿設した流通孔である。
【０００４】
オーバーキャップｄの形状は、摘み易くするため鍔部ｄ１が付いていたり、ほぼ球体であったりする。
【０００５】
また、プッシュプルキャップに関して、特開２００１-１３０６１６号（特許文献１）は、注出口からの泡の吹き出しを防止したプッシュプルキャップを開示しており、これにおいては、オーバーキャップが天部に液体注出口を有し、注出口を囲んで容器側に垂下する筒状部を有して、この筒状部の内径が注出口の口径より大とされ、この筒状部の内壁に、上部の内径よりも下部の内径が大となる段差があるとされている。
【０００６】
また、特開２００４-５１１３８号（特許文献２）は、キャップ本体に一体に繋がり容器内に通じる開口を有するキャップ本体の環状体に、オーバーキャップの引き上げによって露出する識別領域を設けて、開閉状態を目視で簡単に見極めることができるようにしたプッシュプルキャップを開示している。
【０００７】
また、特開２００１-１５１２６０号（特許文献３）は、オーバーキャップの内壁面に残留した液体を速やかに容器本体内に流下させるガイド手段を備えて、残留液体に起因したシャボン玉の発生などの不具合を解消できるようにしたプッシュプルキャップを開示している。
【０００８】
上述のような種類の、オーバーキャップがキャップ本体に対して昇降自在な開閉式のプッシュプルキャップでは、オーバーキャップにその摘み易さのために設けた鍔部や球体部分がキャップ本体との間に隙間をなすため、輸送中、店頭ハンドリングの際もしくは使用時に不用意に引っ掛かってオーバーキャップが上昇する場合があり、これが液漏れの原因になることがあった。
【０００９】
また、従来のプッシュプルキャップは、オーバーキャップの摘み易さのために設けた鍔部や球体部分によってくびれ部分を有するため、本体容器との一体感に欠けた形状になり、店頭における差別化、製品外観に対する消費者満足度において優れた形状とはいえないものであった。
【００１０】
したがって、いずれの従来技術のプッシュプルキャップも、オーバーキャップが不用意に引っかかりにくい点、オーバーキャップを引き上げたいときには容易に引き上げられない点、およびオーバーキャップが顕在化して容器と一体感のない点を解消していていないというさらなる改良点があった。
【先行技術文献】
【特許文献】
【００１１】
【特許文献１】特開２００１-１３０６１６号公報
【特許文献２】特開２００４-５１１３８号公報
【特許文献３】特開２００１-１５１２６０号公報
【考案の概要】
【考案が解決しようとする課題】
【００１２】
本考案は、上記のような従来技術を改良したものであって、オーバーキャップが不用意に引っ掛かりにくいこと、オーバーキャップを引き上げたいときには容易に引き上げ得ること、および、オーバーキャップが顕在化せずに容器と一体感のある外観的に優れた容器になることとを実現できるプッシュプルキャップを提供することを課題とする。
【課題を解決するための手段】
【００１３】
本考案は、液体を収容する容器の頂部に装着され、キャップ本体およびオーバーキャップを有し、キャップ本体に対してオーバーキャップを上下させることによって注出口が開閉するプッシュプルキャップであって、前記オーバーキャップが天部に液体を注出する注出口を有すると共に、オーバーキャップ閉状態において注出口からオーバーキャップの下端部に向けてキャップ本体と一体的な形状をなすように、キャップ本体上面に凹部を形成して、この上面凹部にオーバーキャップ下端部を配置すると共に、キャップ本体の上端部外周には、オーバーキャップを引き上げるための指掛け用凹部を少なくとも一カ所設けたことを特徴とするプッシュプルキャップである。
【００１４】
本考案においては、オーバーキャップの下端部の周縁部は下細斜めに面取りされると共に、この周縁部の面取りとキャップ本体周縁の壁部内面も上記下端部の周縁部に対応させて斜めに面取りされて、その壁部が上広がりになって対応していることが好適である。
【００１５】
オーバーキャップの下端部の周縁部の「下細斜めに面取り」は、図２、図４、図５に図示した直線状以外に、凸Ｒ状に設けてもよいものである。
【００１６】
また、本考案においては、キャップ本体の指掛け用凹部において、指掛け用凹部のオーバーキャップ下端部よりもキャップ本体軸中心に向かう凹み深さが１．５〜２.５（ｍｍ）であることが好適である。
【考案の効果】
【００１７】
本考案によれば、プッシュプルキャップであって、オーバーキャップ閉状態において注出口からオーバーキャップの下端部に向けてキャップ本体と一体的な形状をなすように、キャップ本体上面に凹部を形成して、この上面凹部にオーバーキャップ下端部を配置するので、オーバーキャップがキャップ本体と外面的にほぼ滑らかに一体的形状をなして、オーバーキャップが他のものに不用意に引っ掛かりにくいものになり、かつ、オーバーキャップが顕在化せずに容器と一体感のある外観的に優れた容器になる。
【００１８】
また、前記のように、オーバーキャップがキャップ本体と外面的にほぼ滑らかに一体的形状をなしているので、容器を輸送中や、持ち運んでいるときや店頭に並べるとき等のハンドリング時にプッシュプルキャップ同士がぶつかってもオーバーキャップが上がりにくく不用意に開き難くなる。
【００１９】
また、プッシュプルキャップを開けて容器の液体内容物を注出する使用をした後に、容器を立てて置いておくと注出口に残った注出液がオーバーキャップ外周面を伝わってくる。そのときに、その伝わってくる液体がキャップ本体上面の凹部に受け止められるので、液体が容器外部に漏れたり垂れたりすることがなく、容器を汚し難くなる。なお、図示しないが、オーバーキャップの表面に縦方向のスリットを設けて抽出液が流れ易くかつ容易に上記キャップ本体上面の凹部に導くことが好適である。
【００２０】
また、キャップ本体の上端部外周には、オーバーキャップを引き上げるための指掛け用凹部を少なくとも一カ所設けたのでので、オーバーキャップを引き上げたいときに簡単に指を掛けてオーバーキャップを容易に引き上げ得ることができる構造になる。
【００２１】
なお、オーバーキャップの下端部の周縁部は下細斜めに面取りされると共に、この周縁部の面取りとキャップ本体周縁の壁部内面も上記下端部の周縁部に対応させて斜めに面取りされて、その壁部が上広がりになって対応しているものにすることによって、オーバーキャップをキャップ本体に嵌り込ませて閉状態にしたときに、より一層、段差部のない外観形状にできる。
【００２２】
したがって、オーバーキャップ下端部からキャップ本体上端部にかけて外観的に面一に形状を呈してオーバーキャップがキャップ本体とより一層一体的形状をなす外見を呈する。そればかりか、オーバーキャップがより一層不用意に引っ掛かりにくいものになり、かつ、オーバーキャップが顕在化せずに容器と一層一体感のある外観的に優れたオーバーキャップになる。
【００２３】
また、キャップ本体の指掛け用凹部において、指掛け用凹部のオーバーキャップ下端部よりもキャップ本体軸中心に向かう凹み深さを１．５〜２.５（ｍｍ）とすれば、ユーザが指を引っかける際に指を痛くすることなく引っ掛け易くかつ操作の確実性を向上させることができ、外見的に指掛け用凹部が目立ちにくいものにできる。この場合、指掛け用凹部の深さが１．５（ｍｍ）より小さい場合、ユーザは指を掛けにくく力を指に入れるため指先が痛くなり易い。一方、指掛け用凹部の深さが、２．５（ｍｍ）を超える場合、凹部が外観上目立ち、オーバーキャップ下端部にキャップ本体との間に隙間が生じていることが目立ち一体感がなくなる。
【００２４】
なお、オーバーキャップ下端部の外周コーナーに面取り部を設けることによってオーバーキャップを摘んだ際の指先の摘み感覚を良好とすることができる。
【図面の簡単な説明】
【００２５】
【図１】プッシュプルキャップを設けた容器の全体説明図であって、（ａ）は容器の平面図、（ｂ）は容器１０を指掛け用凹部の側から見た正面図、（ｃ）は容器を指掛け用凹部の側から見た側面図である。
【図２】プッシュプルキャップの詳細断面図であって、（ａ）は図１（ａ）のＡ−Ａ線に沿う（指掛け用凹部以外の部分を含む）軸方向の断面図，（ｂ）は図１（ａ）のＢ−Ｂ線に沿う（指掛け用凹部を含む）軸方向の断面図である。
【図３】（ａ），（ｂ），（ｃ）はプッシュプルキャップ１８の詳細な外観を示す平面図，指掛け用凹部側から見た側面図，指掛け用凹部以外の側から見た側面図である。
【図４】（ａ），（ｂ）はプッシュプルキャッププッシュプルキャップの開状態における図２に対応する各断面図である。
【図５】プッシュプルキャップの指掛け用凹部の寸法を説明する拡大半断面図である。
【図６】従来の、容器の口元に装着されるプッシュプルキャップの説明図であって、（ａ）が縦断面図、（ｂ）がプッシュプルキャップ内を下方から見た説明図である。
【考案を実施するための形態】
【００２６】
以下、本考案の実施の形態を、添付図面を参照して説明する。
【００２７】
図１〜図５は本考案の実施形態に係るプッシュプルキャップの説明図である。
【００２８】
図１はプッシュプルキャップ１８を設けた容器１０の全体説明図であって、（ａ）は容器１０の平面図、（ｂ）は容器１０を指掛け用凹部２０の側から見た正面図、（ｃ）は容器１０を指掛け用凹部２０の側から見た側面図である。図２はプッシュプルキャップ１８の詳細断面図であって、（ａ）は図１（ａ）のＡ−Ａ線に沿う（指掛け用凹部以外の部分を含む）軸方向の断面図，（ｂ）は図１（ａ）のＢ−Ｂ線に沿う（指掛け用凹部を含む）軸方向の断面図である。図３（ａ），（ｂ），（ｃ）はプッシュプルキャップ１８の詳細な外観を示す平面図，指掛け用凹部側から見た側面図，指掛け用凹部以外の側から見た側面図である。図４（ａ），（ｂ）はプッシュプルキャッププッシュプルキャップの開状態における図２に対応する各断面図である。図５はプッシュプルキャップ１８の指掛け用凹部の寸法を説明する拡大半断面図である。
【００２９】
実施形態に係るプッシュプルキャップ１８は、図１〜図４に示すように、容器１０の頂部１２に螺合によって装着され、キャップ本体１４およびオーバーキャップ１６を有し、キャップ本体１４に対してオーバーキャップ１６を上下させることによって注出口１６ｂが開閉するプッシュプルキャップ１８である。なお、図２に二点鎖線で示すように、容器１０の筒状を呈する頂部１２外周には、雄ねじが形成されており、その頂部１２外周がキャップ本体１４内側下部で延びる筒状部１４ｅ内周面の雌ねじに螺合することによって、プッシュプルキャップ１８は容器１０の頂部１２に装着される。この螺合装着は、プッシュプルキャップ１８を容器１０に装着する場合の一例であって、その他、嵌め込みや、融着よって装着することも本考案の範囲内である。
【００３０】
そして、前記オーバーキャップ１６が天部１６ａに液体を注出する注出口１６ｂを有すると共に、オーバーキャップ１６閉状態において注出口１６ｂからオーバーキャップ１６の下端部１６ｃに向けてキャップ本体１４と一体的な形状をなすように、キャップ本体１４上面に凹部（上面凹部）１４ａを形成して、この上面凹部１４ａ内にオーバーキャップ１６の下端部１６ｃを配置する。
【００３１】
詳しくは実施形態のオーバーキャップ１６は、図２〜図４に示すように、前記注出口１６ｂを取り巻いて外面がドーム状または傘状を呈する外周壁部１６ｄが形成され、この外周壁部１６ｄの内部に二重の筒状部１６ｅ，１６ｆが下方に延びており、内側の筒状部１６ｅの基部で注出口１６ｂを取り囲んでいる。
【００３２】
内側筒状部１６ｅ内壁部には斜めの段差部１６ｇが形成されていてこの段差部１６ｇで液を誘導して注出口１６ｂの液切れを良くするようになっている。
【００３３】
また、オーバーキャップ１６天部１６ａにおいて、中央の注出口１６ｂ外周部は上方に向けて筒状に突出させることによっても液切れを良くしている。
【００３４】
また、キャップ本体１４において、上面には周囲が突出した壁部（一部切れた環状の壁部）になっていて、その壁部に取り囲まれる部分が下方に凹んだ前記上面凹部１４ａになっている。オーバーキャップ１６を閉状態にするときに、この上面凹部１４ａ周囲の壁部内に前記オーバーキャップ１６の下端部１６ｃが嵌まり込んだ状態になるようにしており、外面的にほぼ連続した一体的外観形状を呈する。
【００３５】
この場合において、オーバーキャップ１６の下端部１６ｃの周縁部は下細斜めに面取りされる（図４に示すように、面取りを符号「１６ｃ１」で示す）と共に、この周縁部の面取りとキャップ本体１４周縁の壁部内面も上記下端部１６ｃの周縁部に対応させて斜めに面取りされて（図４に示すように、面取りを符号「１４ａ１」で示すような直線状にする他、Ｒ面またはＣ面にすることもできる）、その壁部が上広がりになって対応しているので、オーバーキャップ１６をキャップ本体１４に嵌り込ませて閉状態にしたときに、図１〜図３に示すように、より一層、段差部のない外観形状にできる。
【００３６】
また、プッシュプルキャップ１８を開けて容器１０の液体内容物を注出する使用をした後に、容器１０を立てて置いておくと注出口１６ｂに残った注出液がオーバーキャップ１６外周面を伝わってくる。そのときに、その伝わってくる液体がキャップ本体１４上面の凹部１４ａに受け止められるので、液体が容器１０外部に漏れたり垂れたりすることがなく、容器を汚し難くなる。
【００３７】
なお、図示しないが、オーバーキャップ１６の表面に縦方向のスリットを設けて注出液が流れ易くかつ容易に上記キャップ本体１４上面の凹部１４ａに導く構成とすることが好適である。
【００３８】
また、プッシュプルキャップ１８の横断面は、実施形態では図１から分かるように、円形形状であるが、当該横断面を多角形形状としてもよく、この場合、オーバーキャップ１６とキャップ本体１４の位置合わせは周知の位置合わせ技術によって行うことができる。そして、一体感を得るためにオーバーキャップ１６は注出口１６ｂ側から下端部１６ｃにかけて、下側ほど寸法が拡大する構造を呈しており、キャップ本体１４外径をオーバーキャップ１６の下端部１６ｃの寸法と略同一としており、キャップ本体１４下端部にかけて拡大するように（本考案においてしなくてもよいが）容器１０に連続する仕様にすることが好ましい。
【００３９】
また、容器１０は、緩やかな上細のテーパー形状を呈しており、プッシュプルキャップ１８の閉状態において、容器１０上部側面とプッシュプルキャップ１８外周面と段差がなく滑らかに連続した外観形状を呈している。
【００４０】
そして、キャップ本体１４の指掛け用凹部２０以外の垂直断面において、キャップ本体１４上端部の幅はオーバーキャップ１６ｃの下端部１６ｃの幅よりも大きいものにすることによって、図１〜図３から分かるように、オーバーキャップ１６の下端部１６ｃからキャップ本体１４上端部にかけて外観的に面一に形状を呈してオーバーキャップがキャップ本体とより一層一体的形状をなす外見を呈する。そればかりか、オーバーキャップ１６がより一層不用意に引っ掛かりにくいものになり、かつ、オーバーキャップ１６が顕在化せずに容器１０と一層一体感のある外観的に優れたオーバーキャップ１６になる。
【００４１】
なお、実施形態のキャップ本体１４では、指掛け用凹部２０以外の側面に縦方向に細かい凹凸溝１４ｆが形成されていて、容器１０に対してキャップ本体１４を回転させて取り外すときにこの凹凸溝１４ｆが指に掛かりやすく容易に回すことができるようにしている。
【００４２】
ここで、図４はプッシュプルキャップ１８の開状態の断面図を示している。
【００４３】
図２および図４に示すように、プッシュプルキャップ１８の開閉構造については、プッシュプルキャップ１８内部においては、上記キャップ本体１４の上面凹部１４ａから二重に上方に向けて筒状突出部１４ｂ，１４ｃが形成されて延びており、この筒状突出部１４ｂ，１４ｃの各内側にオーバーキャップ１６の筒状部１６ｅ，１６ｆが位置して摺動する。筒状突出部１４ｂの内側と筒状部１６ｅの外側に突起が出ており、これら突起が互いに係合することによってオーバーキャップ１６の抜け止めをしている。
【００４４】
また、筒状突出部１４ｂ，１４ｃによってオーバーキャップ１６の外側の筒状部１６ｆを挟み込んでいるようにキャップ本体１４には外側の筒状突出部１４ｃが形成されており、このような外側の筒状突出部１４ｃは前記した特許文献１〜３には記載がない。この外側の筒状突出部１４ｃが形成されることによって、筒状部１６ｆをしっかりと摺接しながら保持するので、上下するオーバーキャップ１６のがたつきが防止できる。また、このような外側の筒状突出部１４ｃが形成されていない場合にはプッシュプルキャップ１８を図４に示すように開状態にした使用状態時にキャップ本体１４側が細く見えて外観的良好でない。この問題を外側の筒状突出部１４ｃの形成によって防止できる。
【００４５】
また、図３〜図４に示すように、外側の筒状突出部１４ｃが高く形成されている理由については、オーバーキャップ１６の径が大きくなると、操作時のオーバーキャップ１６のがたつきが大きくなる傾向にあり、これを安定させるために、上記筒状突出部１４ｃを高く形成しているものである。
【００４６】
また、上記キャップ本体１４の上面凹部１４ａの中央から上方に向けて、前記注出口１６ｂを開閉するための突起状の栓体２２が柱状に突出形成されている。
【００４７】
図２に示すように、オーバーキャップ１６が閉状態位置では、突起状栓体２２が前記注出口１６ｂに嵌まり込んでそれを閉鎖し、図４に示すように、開状態位置では、突起状栓体２２が前記注出口１６ｂから離れてそれを開放する。
【００４８】
なお、上面凹部１４ａにおいての栓体２２の基部周辺には、注出口１６ｂ側と容器側とを連通する連通孔２４が形成されている。
【００４９】
また、キャップ本体１４の上端部外周には、オーバーキャップ１６を引き上げるための指掛け用凹部２０をキャップ本体１４の軸を挟んで１対（少なくとも一カ所の例）設けたものである。
【００５０】
この指掛け用凹部２０は、図２（ｂ）や図３に示すように、プッシュプルキャップ１８のキャップ本体１４の側面部のほぼ中央から上方部分が上ほど大きく内側にえぐり込むような凹みである。
【００５１】
本考案では、上記指掛け用凹部２０は、少ないほど好ましく、１箇所設けることが本考案の範囲内であるが、実施形態では、指掛け用凹部２０は、対で２箇所設けている。これによって、オーバーキャップ１６をユーザが指によって摘むときに軸を挟んで両側から摘むことができ、操作性がよい。
【００５２】
ここで、図１〜図５に示すように、オーバーキャップ１６の下端部１６ｃに連続するキャップ本体１４側面に、そのオーバーキャップ１６の下端部１６ｃよりもキャップ本体１４軸中心に向かう指掛け用凹部２０という凹み（隙間ｘ）を設けることによってオーバーキャップ１６を摘んだときの指の痛さを解消できる。なお、隙間ｘは、図５に示すように、軸垂直方向において、指掛け用凹部２０の上面凹部１４ａに接する位置とオーバーキャップ１６の最外縁端部間の位置との間の距離である。
【００５３】
この隙間ｘが大きすぎると、キャップ本体１４との間に段差が大きく生じて、キャップ本体１４とオーバーキャップ１６の一体感が無くなるので、キャップ本体の指掛け用凹部２０において、指掛け用凹部２０のオーバーキャップ下端部１６ｃよりもキャップ本体１４軸中心に向かう凹み深さである隙間ｘを１．５〜２.５（ｍｍ）とする。
【００５４】
この隙間ｘの寸法によって、ユーザが指掛け用凹部２０に指を引っかける際に指を痛くすることなく引っ掛け易くかつ操作の確実性を向上させることができ、外見的に指掛け用凹部２０が目立ちにくいものにできる。この場合、指掛け用凹部２０の隙間ｘが１．５（ｍｍ）より小さい場合、ユーザは指を掛けにくく力を指に入れるため指先が痛くなり易い。一方、指掛け用凹部の隙間ｘが、２．５（ｍｍ）を超える場合、凹部が外観上目立ち、オーバーキャップ下端部１６ｃにキャップ本体１４との間に隙間が生じていることが目立ちプッシュプルキャップ１８の外観的な一体感がなくなる。
【００５５】
考案者は、具体的なプッシュプルキャップについて、上記隙間ｘの大きさを種々に変えたプッシュプルキャップを作成し、それぞれについて評価した結果を説明する。
【００５６】
隙間ｘは、図５に示すように、指掛け用凹部２０がオーバーキャップ１６周縁からどの程度引っ込んでいるかを示している。評価は、ｘ＝０．５〜３．５（ｍｍ）のそれぞれについて行った。
【００５７】
この場合、図１（ｂ）に示すように、容器１０とプッシュプルキャップ１８の各軸方向長さＨ１とＨ２がほぼ１５０．０（ｍｍ）と３７．０（ｍｍ）、各外径Ｗ１とＷ２がほぼ５５．０（ｍｍ）と４０．０（ｍｍ）のものである。これは一例であり、平均的なユーザの手の大きさや使用態様を考慮して各部寸法を決定する。
【００５８】
評価結果を表１に示す。
【表１】
0003152379.tif 000003
上記表１の評価結果から、隙間ｘを小さくしていくと、隙間ｘが１．０（ｍｍ）では、摘みやすさや摘んだ際の力の入れ易さに不満が残り、隙間ｘが０．５（ｍｍ）では操作しがたいものであった。
【００５９】
一方、隙間ｘを大きくしていくと、隙間ｘが３．０（ｍｍ）では、摘みやすさはあるが、オーバーキャップとキャップ本体との一体的であることをかろうじて感じている。そして、３．５（ｍｍ）であると、オーバーキャップ１６とキャップ本体１４とを別体と明りょうに認識することとなった。
【００６０】
以上のようにプッシュプルキャップ１８を構成したので、オーバーキャップ１６がキャップ本体１４と外面的にほぼ滑らかに一体的形状をなして、オーバーキャップ１６が他のものに不用意に引っ掛かりにくいものになり、かつ、オーバーキャップ１６が顕在化せずに容器と一体感のある外観的に優れた容器１０になる。容器１０を輸送中や、持ち運んでいるときや店頭に並べるとき等のハンドリング時にプッシュプルキャップ同士がぶつかってもオーバーキャップが上がりにくく不用意に開き難くなる。
【００６１】
また、キャップ本体の上端部外周には、オーバーキャップを引き上げるための指掛け用凹部を少なくとも一カ所設けたのでので、オーバーキャップを引き上げたいときに簡単に指を掛けてオーバーキャップを容易に引き上げ得る。
【００６２】
尚、本考案のプッシュプルキャップは、上記した実施の形態に限定されるものではなく、本考案の要旨を逸脱しない範囲内において種々変更を加え得ることは勿論である。
【産業上の利用可能性】
【００６３】
本考案のプッシュプルキャップは、液体を収容する容器の頂部に装着され、キャップ本体とオーバーキャップを有し、キャップ本体に対してオーバーキャップを上下させることによって注出口が開閉するプッシュプルキャップに係り、一体感のある外観を有するプッシュプルキャップとして利用することができる。
【符号の説明】
【００６４】
１０  容器
１２  頂部
１４  キャップ本体
１４ａ  上面凹部
１４ｂ，１４ｃ  筒状突出部
１４ｃ  下端部
１４ｅ  内側下部の筒状部
１４ｆ  凹凸溝
１６  オーバーキャップ
１６ａ  天部
１６ｂ  注出口
１６ｃ  下端部
１６ｄ  外周壁部
１６ｅ  内側筒状部
１６ｅ，１６ｆ  内側筒状部，外側筒状部
１６ｇ  段差部
１８  プッシュプルキャップ
２０  指掛け用凹部
２２  栓体
２４  連通孔
【図１】
0003152379.tif 000004
【図２】
0003152379.tif 000005
【図３】
0003152379.tif 000006
【図４】
0003152379.tif 000007
【図５】
0003152379.tif 000008
【図６】
0003152379.tif 000009